【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
眼底の同一位置を走査するように制御された測定光に基づいて得られた複数の断層データであって、該眼底の断面を示す複数の断層データの少なくとも１つにおける陰影領域である第１の領域を特定する特定手段と、
前記陰影領域に対応する信号強度値と比較される閾値を、前記陰影領域以外の第２の領域に対応する信号強度値と比較される閾値よりも小さい値に決定する決定手段と、
前記複数の断層データの少なくとも１つの断層データから得られた信号強度値と前記閾値とを比較する比較手段と、
前記比較手段による比較結果および前記複数の断層データを用いて得たモーションコントラスト値に基づいて、モーションコントラスト画像を生成する生成手段と、
を備えることを特徴とする情報処理装置。
【請求項２】
眼底の同一位置を走査するように制御された測定光に基づいて得られた複数の断層データであって、該眼底の断面を示す複数の断層データの少なくとも１つにおける第１の領域及び前記第１の領域とは異なる第２の領域であって、前記第２の領域に対応する信号強度値よりも低い信号強度値を持つ前記第１の領域を特定する特定手段と、
前記第１の領域に対応する信号強度値と比較される閾値を、前記第２の領域に対応する信号強度値と比較される閾値よりも小さい値に決定する決定手段と、
前記複数の断層データの少なくとも１つの断層データから得られた信号強度値と前記閾値とを比較する比較手段と、
前記比較手段による比較結果および前記複数の断層データを用いて得たモーションコントラスト値に基づいて、モーションコントラスト画像を生成する生成手段と、
を備えることを特徴とする情報処理装置。
【請求項３】
前記決定手段は、前記第１の領域に対応する信号強度値と比較される閾値を、前記第１の領域に対応する信号強度値に応じて決定することを特徴とする請求項１または請求項２に記載の情報処理装置。
【請求項４】
前記決定手段は、前記第１の領域に対応する信号強度値が小さいほど前記第１の領域に対応する信号強度値と比較される閾値を小さくすることを特徴とする請求項３に記載の情報処理装置。
【請求項５】
前記決定手段は、前記第２の領域に対応する信号強度値と比較される閾値に基づいて、前記第１の領域に対応する信号強度値と比較される閾値を決定することを特徴とする請求項１乃至４のいずれか１項に記載の情報処理装置。
【請求項６】
前記決定手段は、前記第１の領域に対応する前記信号強度値と比較される閾値を、前記第２の領域に対応する領域であり且つ前記第１の領域と同一深さ位置または同一層の信号強度値と比較される閾値とは異なる値に決定することを特徴とする請求項１乃至５のいずれか１項に記載の情報処理装置。
【請求項７】
前記決定手段は、前記第１の領域を含むＡスキャンデータの信号強度と比較される閾値を、陰影領域であるか否かに関わらず前記第１の領域に対応する信号強度値と比較される閾値に決定することを特徴とする請求項１に記載の情報処理装置。
【請求項８】
前記決定手段は、前記特定手段によって前記第１の領域が特定されなかった場合、前記断層データの同一深さ位置または同一層における複数位置の信号強度と比較される閾値を同一の値に決定することを特徴とする請求項１乃至７のいずれか１項に記載の情報処理装置。
【請求項９】
前記特定手段は、前記複数の断層データから得られるモーションコントラスト値に基づいて前記第１の領域を特定することを特徴とする請求項１乃至８のいずれか１項に記載の情報処理装置。
【請求項１０】
操作者による前記第１の領域に対応する信号強度値と比較される閾値の変更を受け付ける受付手段を更に備え、
前記受付手段が前記第１の領域に対応する信号強度値と比較される閾値の変更を受け付ける度に、前記モーションコントラスト値が取得され、前記モーションコントラスト画像が生成されることを特徴とする請求項１乃至９のいずれか１項に記載の情報処理装置。
【請求項１１】
眼底の同一位置を走査するように制御された測定光に基づいて得られた複数の断層データであって、該眼底の断面を示す複数の断層データの少なくとも１つにおける陰影領域である第１の領域を特定する特定手段と、
前記複数の断層データの少なくとも１つの断層データから得られた前記陰影領域に対応する信号強度値を上昇させることにより得た信号強度値と閾値とを比較する比較手段と、
前記比較手段による比較結果および前記複数の断層データを用いて得たモーションコントラスト値に基づいて、モーションコントラスト画像を生成する生成手段と、
を備えることを特徴とする情報処理装置。
【請求項１２】
眼底の同一位置を走査するように制御された測定光に基づいて得られた複数の断層データであって、該眼底の断面を示す複数の断層データの少なくとも１つにおける第１の領域及び前記第１の領域とは異なる第２の領域であって、前記第２の領域に対応する信号強度値よりも低い信号強度値を持つ前記第１の領域を特定する特定手段と、
前記複数の断層データの少なくとも１つの断層データから得られた前記第１の領域に対応する信号強度値を上昇させることにより得た信号強度値と閾値とを比較する比較手段と、
前記比較手段による比較結果および前記複数の断層データを用いて得たモーションコントラスト値に基づいて、モーションコントラスト画像を生成する生成手段と、
を備えることを特徴とする情報処理装置。
【請求項１３】
前記第２の領域に対応する信号強度値は維持されることを特徴とする請求項１１または請求項１２に記載の情報処理装置。
【請求項１４】
前記上昇させることにより得た信号強度値と比較される閾値は、前記第２の領域であり且つ前記第１の領域と同一深さ位置または同一層の信号強度値と比較される閾値と同じ値であることを特徴とする請求項１１乃至１３のいずれか１項に記載の情報処理装置。
【請求項１５】
前記生成手段は、前記モーションコントラスト値と、セグメンテーションにより検出された前記眼底の任意の層のデータとに基づいて、ＯＣＴＡのＥｎｆａｃｅ画像を前記モーションコントラスト画像として生成することを特徴とする請求項１乃至１４のいずれか１項に記載の情報処理装置。
【請求項１６】
請求項１乃至１４のいずれか１項に記載の情報処理装置と、
前記眼底に対して前記測定光を走査する走査手段と、を備え、
前記制御された測定光が照射された前記眼底からの戻り光と参照光とを合波して得た干渉光を検出するように構成されることを特徴とする光干渉断層撮影装置。
【請求項１７】
眼底の同一位置を走査するように制御された測定光に基づいて得られた複数の断層データであって、該眼底の断面を示す複数の断層データの少なくとも１つにおける陰影領域である第１の領域を特定する特定工程と、
前記陰影領域に対応する信号強度値と比較される閾値を、前記陰影領域以外の第２の領域に対応する信号強度値と比較される閾値よりも小さい値に決定する決定工程と、
前記複数の断層データの少なくとも１つの断層データから得られた信号強度値と前記閾値とを比較する比較工程と、
前記比較工程における比較結果および前記複数の断層データを用いて得たモーションコントラスト値に基づいて、モーションコントラスト画像を生成する生成工程と、
を含むことを特徴とする情報処理方法。
【請求項１８】
眼底の同一位置を走査するように制御された測定光に基づいて得られた複数の断層データであって、該眼底の断面を示す複数の断層データの少なくとも１つにおける第１の領域及び前記第１の領域とは異なる第２の領域であって、前記第２の領域に対応する信号強度値よりも低い信号強度値を持つ前記第１の領域を特定する特定工程と、
前記第１の領域に対応する信号強度値と比較される閾値を、前記第２の領域に対応する信号強度値と比較される閾値よりも小さい値に決定する決定工程と、
前記複数の断層データの少なくとも１つの断層データから得られた信号強度値と前記閾値とを比較する比較工程と、
前記比較工程における比較結果および前記複数の断層データを用いて得たモーションコントラスト値に基づいて、モーションコントラスト画像を生成する生成工程と、
を含むことを特徴とする情報処理方法。
【請求項１９】
眼底の同一位置を走査するように制御された測定光に基づいて得られた複数の断層データであって、該眼底の断面を示す複数の断層データの少なくとも１つにおける陰影領域である第１の領域を特定する特定工程と、
前記複数の断層データの少なくとも１つの断層データから得られた前記陰影領域に対応する信号強度値を上昇させることにより得た信号強度値と閾値とを比較する比較工程と、
前記比較工程における比較結果および前記複数の断層データを用いて得たモーションコントラスト値に基づいて、モーションコントラスト画像を生成する生成工程と、
を含むことを特徴とする情報処理方法。
【請求項２０】
眼底の同一位置を走査するように制御された測定光に基づいて得られた複数の断層データであって、該眼底の断面を示す複数の断層データの少なくとも１つにおける第１の領域及び前記第１の領域とは異なる第２の領域であって、前記第２の領域に対応する信号強度値よりも低い信号強度値を持つ前記第１の領域を特定する特定工程と、
前記複数の断層データの少なくとも１つの断層データから得られた前記第１の領域に対応する信号強度値を上昇させることにより得た信号強度値と閾値とを比較する比較工程と、
前記比較工程における比較結果および前記複数の断層データを用いて得たモーションコントラスト値に基づいて、モーションコントラスト画像を生成する生成工程と、
を含むことを特徴とする情報処理方法。
【請求項２１】
請求項１７乃至２０のいずれか１項に記載の情報処理方法の各工程をコンピュータに実行させることを特徴とするプログラム。
【手続補正２】
【補正対象書類名】明細書
【補正対象項目名】０００８
【補正方法】変更
【補正の内容】
【０００８】
開示の情報処理装置の一つは、
眼底の同一位置を走査するように制御された測定光に基づいて得られた複数の断層データであって、該眼底の断面を示す複数の断層データの少なくとも１つにおける陰影領域である第１の領域を特定する特定手段と、
前記陰影領域に対応する信号強度値と比較される閾値を、前記陰影領域以外の第２の領域に対応する信号強度値と比較される閾値よりも小さい値に決定する決定手段と、
前記複数の断層データの少なくとも１つの断層データから得られた信号強度値と前記閾値とを比較する比較手段と、
前記比較手段による比較結果および前記複数の断層データを用いて得たモーションコントラスト値に基づいて、モーションコントラスト画像を生成する生成手段と、を備える。